(57)【要約】ビデオ信号にトリックモードを実行する方法２００は、トリックモードのコマンドを受信するステップ２０２、及び該トリックモードのコマンドに応答して、トリックモードのビデオ信号を形成するために該ビデオ信号におけるあるピクチャを繰り返すステップ２０４を含んでいる。繰り返されているピクチャが双方向予測ピクチャである場合、本方法は、繰り返すステップ２０４を所定の回数に制限するステップ２１０を含んでいる。
2005507219.tif 000002
【特許請求の範囲】
【請求項１】
ビデオ信号にトリックモードを実行する方法であって、
トリックモードのコマンドを受信するステップと、
該トリックモードのコマンドに応答して、トリックモードのビデオ信号を形成するために該ビデオ信号におけるピクチャを繰り返すステップと、
繰り返されているピクチャが双方向予測ピクチャであるかを判定するステップと、
該繰り返されているピクチャが双方向予測ピクチャである場合に、該繰り返すステップを所定の回数に制限するステップと、
を備える方法。
【請求項２】
該トリックモードは、フレームアドバンスのトリックモードを備える、
請求項１記載の方法。
【請求項３】
該繰り返されている双方向予測ピクチャの次に隣り合うピクチャの表示インジケータを所定の値に設定するステップをさらに備える、
請求項１記載の方法。
【請求項４】
該表示インジケータは、整数値を有する時間参照フィールドを備える、
請求項１記載の方法。
【請求項５】
該トリックモードは、スライドショウのトリックモードである、
請求項１記載の方法。
【請求項６】
該所定の回数は、所与の規格のグループ・オブ・ピクチャで許容される最大数に設定される、
請求項１記載の方法。
【請求項７】
該トリックモードは、フィールドアドバンスのトリックモードを備え、ピクチャにおけるそれぞれのフィールドは、次のフィールドがデコードされるまで繰り返し表示される、
請求項１記載の方法。
【請求項８】
該トリックモードのビデオ信号の少なくとも１部は、リモートデコーダによりデコードされる、
請求項１記載の方法。
【請求項９】
該繰り返されているピクチャのそれぞれの時間参照フィールドを連続的に増加し、グループ・オブ・ピクチャにおける最後のピクチャの時間参照フィールドを所与の規格のグループ・オブ・ピクチャで許容される最大数に制限するステップをさらに備える、
請求項１記載の方法。
【請求項１０】
該繰り返されているピクチャの時間参照フィールドを該ピクチャの時間参照フィールドの値に設定するステップをさらに備える、
請求項１記載の方法。
【請求項１１】
ビデオ信号にトリックモードを実行する方法であって、
アドバンスのトリックモードのコマンドを受信するステップと、
該アドバンスのトリックモードのコマンドに応答して、トリックモードのビデオ信号を形成するため、該ビデオ信号における双方向予測ピクチャを繰り返すステップと、該双方向予測ピクチャは、表示インジケータ値を有する表示インジケータを含み、
繰り返される双方向予測ピクチャの表示インジケータを表示インジケータの値に設定するステップと、
を備える方法。
【請求項１２】
該トリックモードのビデオ信号の少なくとも１部は、リモートデコーダによりデコードされる、
請求項１１記載の方法。
【請求項１３】
該ビデオ信号のグループ・オブ・ピクチャにおける最後のピクチャは、所与の規格のグループ・オブ・ピクチャで許容される最大数に設定される、
請求項１１記載の方法。
【請求項１４】
該アドバンスのトリックモードのコマンドは、少なくとも１つの双方向予測フレームピクチャの繰り返しを要求するフレームアドバンスのトリックモードのコマンドを備える、
請求項１１記載の方法。
【請求項１５】
該アドバンスのトリックモードのコマンドは、少なくとも１つの双方向予測フィールドピクチャの繰り返しを要求するフィールドアドバンスのトリックモードのコマンドを備える、
請求項１１記載の方法。
【請求項１６】
ビデオ信号にトリックモードを実行するためのシステムであって、
記憶媒体からデータを読み出して、該ビデオ信号を出力するためのコントローラと、
トリックモードのコマンドを受信し、アドバンスのトリックモードのコマンドに応答して、トリックモードのビデオ信号を形成するため、該ビデオ信号における原画像である双方向ピクチャのうちのある双方向ピクチャを繰り返し、該ピクチャは表示インジケータを有し、該トリックモードのビデオ信号における該繰り返されるピクチャの表示インジケータを該原画像である双方向ピクチャの値に設定するためにプログラムされるプロセッサと、
を備えるシステム。
【請求項１７】
該プロセッサは、該ビデオ信号の次のピクチャの表示インジケータを所与の規格のグループ・オブ・ピクチャで許容される最大値に設定する、
請求項１６記載のシステム。
【請求項１８】
該トリックモードは、アドバンスのトリックモードを備える、
請求項１６記載のシステム。
【請求項１９】
該繰り返されるピクチャは、双方向予測ピクチャを備える、
請求項１６記載のシステム。
【請求項２０】
該表示インジケータは、整数値を有する時間参照フィールドを備える、
請求項１６記載のシステム。
【請求項２１】
該アドバンスのトリックモードは、フレームアドバンスのトリックモード、フレームスライドショウのトリックモード、フィールドアドバンスのトリックモード、及びフィールドスライドショウのトリックモードを備えるモードグループから選択される、
請求項１７記載のシステム。
【請求項２２】
該トリックモードのビデオ信号の少なくとも１部は、リモートデコーダによりデコードされる、
請求項１６記載のシステム。
【請求項２３】
ビデオ信号にトリックモードを実行するためのシステムであって、
記憶媒体からデータを読み出して、該ビデオ信号を出力するためのコントローラと、
アドバンスのトリックモードのコマンドを受信し、該アドバンスのトリックモードのコマンドに応答して、トリックモードのビデオ信号を形成するために、該ビデオ信号におけるある双方向予測ピクチャを繰り返し、該ピクチャは、表示インジケータを含み、該双方向予測ピクチャが繰り返される回数を所定の回数に制限するためにプログラムされるプロセッサと、
を備えるシステム。
【請求項２４】
該トリックモードのビデオ信号の一部をデコードするためのリモートデコーダをさらに備える、
請求項２３記載のシステム。
【発明の詳細な説明】
【技術分野】
【０００１】
本発明は、ビデオシステム全般に関し、より詳細には、デジタル形式でエンコードされたビデオ系列を記録又は再生するビデオシステムに関する。
【背景技術】
【０００２】
デジタルテレビジョン（ＤＴＶ）及び高精細テレビジョン（ＨＤＴＶ）は、今日の家庭用電子製品の市場において注目されている。これらのタイプのテレビジョンの多くの購入者は、先に記録された番組を視聴したり、該購入者の好みの番組を記録したりするために、デジタルビデオディスク（ＤＶＤ）レコーダ又はプレーヤのような、デジタルビデオレコーダ又はプレーヤも購入する。特に、ＤＴＶ（又はＨＤＴＶ）とデジタルビデオレコーダ又はプレーヤとの組み合わせは、ホームシアター娯楽システムの統合された部分となる。
【０００３】
デジタルビデオレコーダ又はプレーヤは、ＭＰＥＧ（Ｍｏｖｉｎｇ  Ｐｉｃｔｕｒｅ  Ｅｘｐｅｒｔ  Ｇｒｏｕｐ）デコーダを一般に含んでおり、このデコーダは、レコーダ又はプレーヤが再生するディスクに記憶されたデジタル形式でエンコードされたマルチメディアデータをデコードする。デジタルビデオレコーダ又はプレーヤが従来の（ＤＴＶではない、又はＨＤＴＶではない）テレビジョンに接続された場合、デジタル形式でエンコードされた信号は、従来のテレビジョンに表示される前に、デジタルビデオレコーダ又はプレーヤのＭＰＥＧデコーダによりデコードされる。しかし、多くのＤＴＶは、それ自身のＭＰＥＧデコーダを含んでおり、デジタルビデオレコーダ又はプレーヤの大部分におけるＭＰＥＧデコーダは、かかるテレビジョンのビデオ信号のデコードを扱うことができない。かかるように、デジタルビデオレコーダ又はプレーヤがＤＴＶに接続された場合、ディスクから読み出されたビデオ信号は、ＤＴＶのデコーダで遠隔的にデコードされる。このシステム構成は、リモートデコーダ構成と呼ばれる。
【発明の開示】
【発明が解決しようとする課題】
【０００４】
しかし、デジタル形式でエンコードされた信号をリモートＤＴＶデコーダによりデコードすることには、重要な問題が存在する。特に、このタイプの構成においてトリックモードを実行することは非常に困難である。たとえば、トリックモードは、ビデオ信号における多数のピクチャを繰り返すこと場合がある。デジタルビデオレコーダとＤＴＶとの間の帯域幅は制限されているため、ＤＴＶに供給されている信号におけるピクチャを繰り返すことで、信号のビットレートが転送チャネルの最大ビットレートの限度を超える可能性がある。この問題は、ピクチャがイントラ（Ｉ）ピクチャ又は予測（Ｐ）ピクチャである場合には更に深刻なものとなる。これは、Ｉピクチャ及びＰピクチャが比較的多くのビット数でエンコードされているためである。
【０００５】
さらに、フリーズ又はポーズコマンド、フレーム又はフィールドアドバンス或いはフレーム又はフィールドスライドショウのような所定のトリックモードのコマンドで問題となる可能性がある。一般に、フリーズコマンドは、ユーザにより必ずしも正確に選択されたピクチャではない場合があるピクチャに関する停止及び開始を含んでいる。たとえば、プロダクト設計者は、参照画像のみに関してフリーズすることを選択する場合がある。フレームアドバンスのコマンドは、それぞれのフレームがユーザにより選択された時間期間で停止される点でより正確である。それぞれのフレームが所定期間について停止される点でスライドショウとして知られるフレームアドバンスの様々な形態もまた正確である。また、スライドショウは、非常に低速な順方向のトリックモードとして考えられる場合がある。これらのトリックモードは、制限されていない期間について、又はＭＰＥＧ技術で容易にサポートされない期間について、それぞれのフレーム（又はフィールド）を停止する能力を要求する場合がある。アドバンス又はスライドショウのトリックモードが始動されたときに問題が生じ、トリックモードを実際にどの位の長さを持続するかを正確に判断する方法が存在しない。結果的に、このタイプのトリックモードの間に特定のピクチャを何回表示するかを計算することは不可能である。この不確かさは、ＤＴＶにおけるデコーダに転送されているピクチャの表示順序に干渉する可能性がある。これは、ＤＴＶデコーダがデジタルビデオレコーダの制御下になく、フリーズ、アドバンス又はスライドショウのトリックモードが始動されていることを知る方法を有していないためである。さらに、かかるトリックモードの期間が予め設定されているときであっても、Ｂフレームを繰り返すことを利用するトリックモードは、デコーダにより順序付けされるピクチャに関連する誤差を生じる可能性がある。したがって、システムの費用又は複雑さを増加することなしに、先に説明された制限を克服するための方法及びシステムが必要とされる。
【課題を解決するための手段】
【０００６】
本発明は、ビデオ信号にトリックモードを実行する方法に関する。本方法は、トリックモードのコマンドを受信するステップ、該トリックモードのコマンドに応答して、トリックモードのビデオ信号を形成するため、該ビデオ信号におけるあるピクチャを繰り返すステップ、該繰り返されているピクチャが双方向予測ピクチャであるかを判定するステップ、及び該繰り返されているピクチャが双方向予測ピクチャである場合、上記繰り返すステップを所定回数に制限するステップを含んでいる。
【０００７】
本発明の別の態様では、ビデオ信号にトリックモードを実行する方法は、アドバンスのトリックモードのコマンドを受信するステップ、及び該アドバンスのトリックモードのコマンドに応答して、トリックモードのビデオ信号を形成するため、該ビデオ信号における双方向予測ピクチャを繰り返すステップを含んでいる。ここで、双方向予測ピクチャは、表示インジケータの値を有する表示インジケータを含んでいる。本方法は、該繰り返されている双方向予測ピクチャの表示インジケータを所定の値に設定するステップ、及び該ビデオ信号の次のピクチャの表示インジケータを別の所定の値に設定するステップをさらに含んでいる。
【０００８】
また、本発明は、ビデオ信号にトリックモードを実行するためのシステムに関する。本システムは、記憶媒体からデータを読み出して該ビデオ信号を出力するためのコントローラ、及びプロセッサを備えている。プロセッサは、（アドバンスのトリックモードのコマンドのような）トリックモードのコマンドを受信し、該トリックモードのコマンドに応答してトリックモードのビデオ信号を形成するため、該ビデオ信号における（双方向予測ピクチャのような）ピクチャを繰り返すためにプログラムされている。ここで、ピクチャは、表示インジケータを含んでいる。プロセッサは、該繰り返されるピクチャの表示インジケータを原画像（ｏｒｉｇｉｎａｌ  ｐｉｃｔｕｒｅ）に与えられる値に設定するためにさらにプログラムされている。代替的に、プロセッサは、双方向予測ピクチャが繰り返される回数を所定の回数に制限するためにプログラムされている。
【発明を実施するための最良の形態】
【０００９】
本発明の構成に係る、様々な最新の動作機能を実現するためのシステム１００は、図１のブロック図に示されている。しかし、本発明は、図１に例示される特定のシステムに限定されるものではなく、本発明は、デジタル形式でエンコードされた信号を受けて、該信号を表示装置に転送可能な任意の他のシステムで実施することができる。さらに、システム１００は、任意の特定のタイプの記憶媒体からデータを読み出すこと、又は該任意の特定のタイプの記憶媒体にデータを書き込むことに限定されず、デジタル形式でエンコードされたデータを記憶可能な任意の記憶媒体をシステム１００で使用することができる。
【００１０】
システム１００は、コントローラ１１０を含んでおり、このコントローラ１１０は、記憶媒体１１２からデータを読み出し、又は該記憶媒体１１２にデータを書き込む。また、システム１００は、サーチエンジン１１４、マイクロプロセッサ１１６及び表示装置１１８を有している。サーチエンジン１１４は、記憶媒体１１２から読み出されたビデオ信号において１以上の特定のタイプのピクチャを探すために適切なソフトウェア及び回路を含んでいる。マイクロプロセッサ１１６がコントローラ１１０及びサーチエンジン１１４の動作を制御可能とするために、制御回路及びデータインタフェースを設けることもできる。マイクロプロセッサ１１６により実行される従来の動作のために、適切なソフトウェア又はファームウェアをメモリに設けることができる。さらに、本発明の手順に従って、マイクロプロセッサ１１６用のプログラムルーチンを設けることができる。
【００１１】
なお、サーチエンジン１１４及びマイクロプロセッサ１１６の全部又は一部は、本発明が意図する範囲でプロセッサ１２０とすることができる。さらに、コントローラ１１０、サーチエンジン１１４及びマイクロプロセッサ１１６の全部又は一部は、本発明が意図する範囲でビットストリームソース１２２とすることができる。１つの構成では、表示装置１１８は、記憶媒体１１２から読み出され、ビットストリームソース１２２で処理された任意のビデオ信号の全部又は一部をデコードするために自身のデコーダ１１９を含んでいる。この特定の構成では、ビットストリームソース１２２におけるデコーダ（図示せず）は、記憶媒体１１２から読み出されたビデオ信号を典型的にデコードしない。この特定の実施の形態は、リモートデコーダ構成と呼ばれ、表示装置１１８におけるデコーダ１１９は、リモートデコーダと呼ばれる。なお、本発明は、この構成に限定されず、他の適切なシステムで本発明を実施することができる。
【００１２】
動作において、コントローラ１１０は、複数のデジタル形式でエンコードされたピクチャを含むビデオ信号を記憶媒体１１２から読み出す。１つの構成では、マイクロプロセッサ１１６がトリックモードのコマンドを受信した場合、マイクロプロセッサ１１６は、ビデオ信号におけるあるピクチャをデコーダ１１９に繰り返し転送し、トリックモードのビデオ信号を形成する。マイクロプロセッサ１１６は、繰り返すべきピクチャの繰り返し又は複製を転送することで、繰り返し処理を実行する。トリックモードの間に繰り返されるべきピクチャのこれら複製は、次に繰り返されるピクチャと呼ばれる。本発明の１つの態様では、繰り返されるピクチャは、双方向予測（Ｂ）ピクチャであり、トリックモードは、（フレーム又はフィールドアドバンスのような）アドバンスのトリックモード又はスライドショウのトリックモードである。
【００１３】
トリックモードの間、繰り返されるピクチャは、表示装置１１８で（次に繰り返されるピクチャの使用を通して）繰り返し表示される。さらに、このピクチャ及び次に表示されるピクチャは、表示インジケータを含んでおり、この表示インジケータは、少なくともビデオ信号における他のピクチャと相対的に、あるピクチャがいつ表示されるかをデコーダ１１９が判定するために一般に使用される。１つの構成では、マイクロプロセッサ１１６は、繰り返されるピクチャ及び次に繰り返されるピクチャの表示インジケータを所定の値に設定し、意図された表示順序を反映する。繰り返されるピクチャの表示インジケータの所定の値は、次に繰り返されるピクチャの表示インジケータの所定の値と同じである。あるピクチャの表示インジケータは、時間参照フィールドである。さらに、マイクロプロセッサ１１６は、トリックモードの間に繰り返されるピクチャを予測するために使用される場合がある参照フレームの表示インジケータを所定の値に設定する。さらに、双方向予測ピクチャ（Ｂピクチャ）がトリックモードの間に繰り返される場合、以下に説明されるような特別の考慮が含まれる。一般に、本発明の１つの態様に係るリモートデコーダは、繰り返されるピクチャを取り扱う。リモートデコーダのなかには、次に繰り返されるピクチャが、先行して繰り返されるピクチャよりも大きな時間参照フィールドを有することを要求する場合がある。かかる例では、増加する時間参照フィールド（すなわち表示インジケータ）を有する繰り返されるピクチャを利用した本発明の代替的な実施の形態がより適切である場合がある。本発明の全体の動作は、以下に更に詳細に説明される。
【００１４】
［双方向予測フレームでのトリックモードの実行］
図２は、Ｂピクチャにトリックモードが実行される１つのやり方を示すフローチャート２００を例示している。１つの構成では、本発明は、リモートデコーダ構成で実施される。本発明によれば、リモートデコーダ構成は、ビデオ信号の少なくとも１部のピクチャが、デコーダにピクチャを供給しているビットストリームソースの外部にあって、該ビットストリームソースの制御下にないデコーダによりデコードされる任意のシステムである。例として、ビットストリームソースは、光記憶媒体からマルチメディアデータを読出して、転送チャネルを通して、このデータをデジタルテレビジョンに転送する光記憶媒体のプレーヤ又はレコーダである。このデジタルテレビジョンは、それ自身のデコーダを含んでいる。しかし、本発明は、この例すなわちリモートデコーダ構成であっても限定されるものではなく、任意の他の適切なシステム又は構成で本発明を実施することができる。
【００１５】
ステップ２０２で、トリックモードのコマンドが受信される。１つの構成では、トリックモードのコマンドは、フレームアドバンス、フィールドアドバンス（フィールドピクチャを利用）、又はスライドショウのトリックモードのコマンドである。本発明によれば、フレームアドバンス、フィールドアドバンス、又はスライドショウのトリックモードは、ビデオ信号における特定のピクチャが視聴者により決定された時間に表示装置で繰り返し表示されるトリックモードである。本発明は、アドバンス又はスライドショウのトリックモードの観点で主に説明するが、任意の他の適切なトリックモードで本発明を実施することができる。判定ブロック２０３で、繰り返されるピクチャがＢピクチャであるかが判定される。トリックモードのコマンドが一旦受信されると、ステップ２０４で、ビデオ信号におけるピクチャが繰り返され、トリックモードのビデオ信号が形成される。繰り返されるピクチャがＢピクチャではない場合、ステップ２０８で、該ピクチャに他の処理が行われる。
【００１６】
１つの構成では、さらに先に説明したように、ステップ２０３で、繰り返されるピクチャがＢピクチャではない場合、このピクチャの繰り返し又は複製（次に繰り返されるピクチャと呼ばれる）が所定の繰り返し回数に制限される。好ましくは、所定の繰り返しフレームの回数は、所与の規格のグループ・オブ・ピクチャで許容される最大のピクチャ数に設定される。たとえば、予測距離が２（Ｍ＝２）に等しいとき、所定の回数は１０２３（又は３４秒）に設定され、予測距離が３（Ｍ＝３）に等しいとき、所定の回数は５１１（又は１７秒）に設定される。ここで、フレームレートは毎秒３０フレームである。これらの制限が適所にない場合、フレームアドバンスのトリックモードは、Ｉ又はＰピクチャのようなアンカーフレームすなわち参照フレームのみを使用することが勧められる。さらに、繰り返されるピクチャ及び次に繰り返されるピクチャは、表示インジケータを含んでいる。本発明が増加される表示インジケータすなわち時間参照フィールドをもつ繰り返されるピクチャを有している場合、グループ・オブ・ピクチャ（ＧＯＰ）での最後のピクチャにおける表示インジケータをＧＯＰで許容される最大のピクチャ数に制限すること、特定のデコーダのパラメータに干渉することを回避するため、ＧＯＰでの他のピクチャにおける時間参照フィールドに対して必要な調節を行うことが好ましい。たとえば、デコーダは、受信された双方向予測ピクチャが最後の２つの時間参照フィールドの間にある時間参照フィールドを有すること、及び／又は受信された双方向予測ピクチャの時間参照フィールドが該受信された双方向予測ピクチャに先行するピクチャよりも大きな値を有することを要求する場合がある。時間参照フィールドの値を繰り返すことが許容されないシナリオでのスローモーションのトリックモードでは、本発明の別の態様によれば、ＧＯＰでのそれぞれのピクチャは同じ回数について繰り返され、繰り返される回数は、たとえば、ＧＯＰで許容される最大ピクチャ数（たとえば１０２３）をＧＯＰでのピクチャ数（Ｎ）で割った数１０２３／Ｎにより制限される。
【００１７】
ステップ２１２で、繰り返されるピクチャの表示インジケータは、繰り返される原画像の表示インジケータの値のような所定の値に選択的に設定される。ステップ２１４で、繰り返されるピクチャの次に繰り返されるピクチャの表示インジケータは、１０２３のような別の所定の値に設定される。かかるように、トリックモードの間に表示されるピクチャのそれぞれの表示インジケータの値は、同じであるか、又はたとえば１０２２までインクリメントすることができる。先に説明したように、表示インジケータは、時間参照フィールドである。時間参照フィールドは、一般に１０ビットのフィールドであり、デジタル形式でエンコードされたピクチャのピクチャヘッダに配置される。このフィールドは、通常、整数値を有しており、デコーダのなかには、この値に依存して、あるピクチャをいつ表示すべきかを判断するものがある。しかし、本発明は、この点に関して限定されるものではなく、他の適切な表示インジケータを使用して意図された表示順序を反映することができる。
【００１８】
ステップ２１０からステップ２１４で説明された処理の例が以下に説明される。図３を参照して、典型的なグループ・オブ・ピクチャ（ＧＯＰ）構造３００が表示順序で示されている。ＧＯＰは、Ｂピクチャ、予測（Ｐ）ピクチャ及びイントラ（Ｉ）ピクチャを含んでいる。下付き番号は、それぞれのピクチャの時間参照フィールドの整数値を表しており、少なくとも通常の再生の間に、ＧＯＰにおける他のピクチャと相対的に、特定のピクチャがいつ表示されるかを示している。たとえば、ＧＯＰにおける第一のピクチャＢ０は、最初に表示され、次にピクチャＢ１，Ｉ２等が続く。当業者であれば、本発明はこの特定のタイプのＧＯＰに限定されるものではなく、時間参照フィールドの整数値がこれら特定の値に限定されるものではないことを理解されるであろう。
【００１９】
当該技術分野で知られているように、デコード及び表示のためにＢピクチャを転送するとき、Ｂピクチャが予測される２つの参照画像がデコーダに送出され、Ｂピクチャの前でデコードされる必要がある。参照画像が一旦デコードされると、Ｂピクチャをデコードすることができ、それらの表示順序に従ってピクチャが表示される。表示順序は、時間参照フィールドの整数値から得られる。例として、参照画像がＰピクチャＰ５及びＰ８であり、ＢピクチャＢ６がデコードされて表示される場合、ピクチャＰ５及びＰ８が最初にデコードされ、続いてピクチャＢ６がデコードされる。しかし、表示順序は、Ｐ５、Ｂ６及びＰ８のようになる（便宜上、この例は、ピクチャＢ７を無視している）。
【００２０】
この例を続けて、意図された表示順序を反映するため、ピクチャＰ５の時間参照フィールドの整数値は所定の値５に設定される。ピクチャＢ６の時間参照フィールドの整数値は６に設定され、ピクチャＰ８の時間参照フィールドの整数値は８に設定される。参照画像がデコーダに転送されて、ピクチャＢ６の前でデコードされるとき、該参照画像の時間参照フィールドの値は、ピクチャＢ６の時間参照フィールドの値の前に設定される。
【００２１】
かかる処理は、アドバンスのトリックモード又はスライドショウのトリックモードのような、フリーズに関連されるトリックモードがピクチャＢ６（又はその種の任意の他のＢピクチャ）に実行される場合に問題となる。特に、ピクチャＢ６が繰り返されるとき、次に繰り返されるピクチャのそれぞれの時間参照フィールドの値は、それらの意図された表示順序を反映するために設定される。したがって、ピクチャＢ６の次に繰り返されるピクチャの時間参照フィールドの値は、一般にフリーズに関連されるトリックモードの間で１ずつ増加される。先に説明されたように、参照画像Ｐ８の時間参照フィールドの整数値は、同じままであり、フリーズに関連されるトリックモードが一旦停止されると、特にデコーダが遠隔的に配置されている場合、デコーダはトリックモードが始動されていることを知らないため、ピクチャＰ８は順序が狂って表示される場合がある。
【００２２】
本発明の構成によれば、ピクチャＢ６の整数値は６に設定され、ピクチャＢ６の次に繰り返されるピクチャの時間参照フィールドの整数値も値６に設定されるか、所定の値までインクリメントされる。
【００２３】
本明細書で開示される実施の形態と共に本発明が説明されてきたが、上述された説明は、例示を目的としており、特許請求の範囲で定義されるような本発明の範囲を制限するものではないことを理解されたい。
【図面の簡単な説明】
【００２４】
【図１】本発明に係る、アドバンス又はスライドショウのトリックモードを実行するシステムのブロック図である。
【図２】本発明に係る、アドバンス又はスライドショウのトリックモードを実行するシステムのブロック図である。
【図３】表示インジケータにおける典型的なグループ・オブ・ピクチャを示す図である。
【図１】
2005507219.tif 000003
【図２】
2005507219.tif 000004
【国際公開パンフレット】
2005507219.tif 000005
2005507219.tif 000006
2005507219.tif 000007
2005507219.tif 000008
2005507219.tif 000009
2005507219.tif 000010
2005507219.tif 000011
2005507219.tif 000012
2005507219.tif 000013
2005507219.tif 000014
2005507219.tif 000015
2005507219.tif 000016
2005507219.tif 000017
2005507219.tif 000018
2005507219.tif 000019
2005507219.tif 000020
2005507219.tif 000021
2005507219.tif 000022
2005507219.tif 000023
2005507219.tif 000024
【国際調査報告】
2005507219.tif 000025